(57)【特許請求の範囲】
【請求項１】
被読取媒体の画像を利用者の記録操作に応じて読取り記録出力する画像形成装置において、
利用者による記録操作時および再記録操作時、利用者の生体的特徴を検出する検出手段と、
記憶手段と、
前記記録操作時の読取画像を新たなジョブとして記録出力するとともに前記検出手段の検出結果に対応付けて前記記憶手段に記憶する制御手段と、
前記記録操作時および前記再記録操作時、前記検出手段の検出結果と前記記憶手段内の生体的特徴とを照合する照合手段と、
前記記録操作時、前記照合手段の照合結果が合致の場合、過去において前記記憶手段にすでに記憶されている読取画像のうち、前記検出手段の検出結果に対応する読取画像を古いジョブとして消去する制御手段と、
前記再記録操作時、前記照合手段の照合結果が合致の場合、前記記憶手段内の読取画像のうち、前記検出手段の検出結果に対応する読取画像を記録出力し、前記照合手段の照合結果が合致でない場合は記録出力をしない制御手段と、
を具備したことを特徴とする画像形成装置。
【請求項２】
請求項１に記載の画像形成装置において、
第１操作手段および第２操作手段を具備し、
前記記録操作は、前記第１操作手段の操作であり、
前記再記録操作は、前記第２操作手段の操作とそれに続く前記第１操作手段の操作であり、
前記検出手段は、前記第１操作手段に触れる手指の特徴を検出する、
ことを特徴とする画像形成装置。
【請求項３】
被読取媒体の画像を利用者の記録操作に応じて読取り記録出力する画像形成装置において、
利用者による記録操作時および再記録操作時、利用者の生体的特徴を検出するステップと、
前記記録操作時の読取画像を新たなジョブとして記録出力するとともに前記検出手段の検出結果に対応付けて前記記憶手段に記憶するステップと、
前記記録操作時および前記再記録操作時、前記検出結果と前記記憶手段内の生体的特徴とを照合するステップと、
前記記録操作時、前記照合結果が合致の場合、過去において前記記憶手段にすでに記憶されている読取画像のうち、前記検出結果に対応する読取画像を古いジョブとして消去するステップと、
前記再記録操作時、前記照合結果が合致の場合、前記記憶手段内の読取画像のうち、前記検出結果に対応する読取画像を記録出力し、前記照合結果が合致でない場合は記録出力をしないステップと、
を具備したことを特徴とする画像形成装置の制御方法。
【請求項４】
被読取媒体の画像を利用者のコピー操作に応じて読取り、その読取画像を用紙に記録する電子複写機において、
利用者によるコピー操作時および再コピー操作時、利用者の生体的特徴を検出する検出手段と、
記憶手段と、
前記記録操作時の読取画像を新たなジョブとして用紙に記録するとともに前記検出手段の検出結果に対応付けて前記記憶手段に記憶する制御手段と、
前記コピー操作時および前記再コピー操作時、前記検出手段の検出結果と前記記憶手段内の生体的特徴とを照合する照合手段と、
前記コピー操作時、前記照合手段の照合結果が合致の場合、過去において前記記憶手段にすでに記憶されている読取画像のうち、前記検出手段の検出結果に対応する読取画像を古いジョブとして消去する制御手段と、
前記再コピー操作時、前記照合手段の照合結果が合致の場合、前記記憶手段内の読取画像のうち、前記検出手段の検出結果に対応する読取画像を用紙に記録し、前記照合手段の照合結果が合致でない場合は記録をしない制御手段と、
を具備したことを特徴とする電子複写機。
【請求項５】
請求項４に記載の電子複写機において、
コピースタートキーおよびリコピーキーを具備し、
前記コピー操作は、前記コピースタートキーの操作であり、
前記再コピー操作は、前記リコピーキーの操作とそれに続く前記コピースタートキーの操作であり、
前記検出手段は、前記コピースタートキーに触れる手指の特徴を検出する、
ことを特徴とする電子複写機。
【発明の詳細な説明】
【０００１】
【発明の属する技術分野】
この発明は、スキャナ機能、プリンタ機能、ファックス送受信機能、画像処理機能、ネットワーク接続機能等を有する複合型の画像形成装置およびその制御方法と電子複写機に関する。
【０００２】
【従来の技術】
画像形成装置たとえば電子複写機は、原稿台にセットされる被読取媒体の画像を利用者のコピー操作に応じて読取り、その読取画像を用紙に記録する。この記録をもってコピージョブの終了となる。
【０００３】
会議の資料を用意するためにコピージョブを行ない、その後で参加人数の変更などで記録物の必要部数が増えた場合には、担当者が原稿台に原稿を再セットし、同じコピージョブを繰り返すことになる。
【０００４】
【発明が解決しようとする課題】
コピージョブが一旦終了した後の再度のコピージョブは、担当者にとって面倒である。処理に時間もかかり、会議の遅れの要因ともなる。
この発明は上記の事情を考慮したもので、その目的とするところは、一旦読み取った画像であれば被読取媒体の再セットを要することなく容易かつ迅速な再記録を可能とし、しかも第三者による再記録についてはその実行を未然に防ぐことができる安全性および信頼性にすぐれた画像形成装置を提供することにある。
【０００５】
また、この発明は、一旦読み取った画像であれば被読取媒体の再セットを要することなく容易かつ迅速な再記録を可能とし、しかも第三者による再記録についてはその実行を未然に防ぐことができる安全性および信頼性にすぐれた画像形成装置の制御方法を提供することを目的とする。
【０００６】
さらに、この発明は、一旦読み取った画像であれば被読取媒体の再セットを要することなく容易かつ迅速な再記録を可能とし、しかも第三者による再記録についてはその実行を未然に防ぐことができる安全性および信頼性にすぐれた電子複写機を提供することを目的とする。
【０００７】
【課題を解決するための手段】
第１の発明（請求項１）の画像形成装置は、被読取媒体の画像を利用者の記録操作に応じて読取り記録出力する画像形成装置において、利用者による記録操作時および再記録操作時、利用者の生体的特徴を検出する検出手段と、記憶手段と、上記記録操作時の読取画像を新たなジョブとして記録出力するとともに上記検出手段の検出結果に対応付けて前記記憶手段に記憶する制御手段と、上記記録操作時および上記再記録操作時、上記検出手段の検出結果と上記記憶手段内の生体的特徴とを照合する照合手段と、上記記録操作時、上記照合手段の照合結果が合致の場合、過去において上記記憶手段にすでに記憶されている読取画像のうち、上記検出手段の検出結果に対応する読取画像を古いジョブとして消去する制御手段と、上記再記録操作時、上記照合手段の照合結果が合致の場合、上記記憶手段内の読取画像のうち、上記検出手段の検出結果に対応する読取画像を記録出力し、上記照合手段の照合結果が合致でない場合は記録出力をしない制御手段と、を備える。
【００１２】
第３の発明（請求項３）の画像形成装置の制御方法は、被読取媒体の画像を利用者の記録操作に応じて読取り記録出力する画像形成装置において、利用者による記録操作時および再記録操作時、利用者の生体的特徴を検出するステップと、上記記録操作時の読取画像を新たなジョブとして記録出力するとともに上記検出手段の検出結果に対応付けて前記記憶手段に記憶するステップと、上記記録操作時および上記再記録操作時、上記検出結果と上記記憶手段内の生体的特徴とを照合するステップと、上記記録操作時、上記照合結果が合致の場合、過去において上記記憶手段にすでに記憶されている読取画像のうち、上記検出結果に対応する読取画像を古いジョブとして消去するステップと、上記再記録操作時、上記照合結果が合致の場合、上記記憶手段内の読取画像のうち、上記検出結果に対応する読取画像を記録出力し、上記照合結果が合致でない場合は記録出力をしないステップと、を備えている。
【００１９】
第４の発明（請求項４）の電子複写機は、被読取媒体の画像を利用者のコピー操作に応じて読取り、その読取画像を用紙に記録する電子複写機において、利用者によるコピー操作時および再コピー操作時、利用者の生体的特徴を検出する検出手段と、記憶手段と、上記記録操作時の読取画像を新たなジョブとして用紙に記録するとともに上記検出手段の検出結果に対応付けて前記記憶手段に記憶する制御手段と、上記コピー操作時および上記再コピー操作時、上記検出手段の検出結果と上記記憶手段内の生体的特徴とを照合する照合手段と、上記コピー操作時、上記照合手段の照合結果が合致の場合、過去において上記記憶手段にすでに記憶されている読取画像のうち、上記検出手段の検出結果に対応する読取画像を古いジョブとして消去する制御手段と、上記再コピー操作時、上記照合手段の照合結果が合致の場合、上記記憶手段内の読取画像のうち、上記検出手段の検出結果に対応する読取画像を用紙に記録し、上記照合手段の照合結果が合致でない場合は記録をしない制御手段と、を備える。
【００２０】
第５の発明（請求項５）の電子複写機は、第４の発明において、コピースタートキーおよびリコピーキーをさらに備え、コピー操作がコピースタートキーの操作であり、再コピー操作がリコピーキーの操作とそれに続くコピースタートキーの操作であり、検出手段はコピースタートキーに触れる手指の特徴を検出する。
【００２７】
【発明の実施形態】
以下、この発明の一実施例について図面を参照して説明する。
図１は画像形成装置たとえば複合型の電子複写機の全体構成を概略的に示している。この電子複写機１は、画像入力手段としてのスキャナ２、および出力手段としてのプリンタ３を備え、上部に自動原稿送り装置（ＡＤＦ）４を備える。
【００２８】
自動原稿送り装置４は、筐体としてのカバー本体２１の後端縁部が装置本体の上面後端縁部に図示しないヒンジ装置を介して開閉自在に取り付けられており、必要に応じて自動原稿送り装置４全体を開閉させて原稿台５上を開放し得る構成となっている。カバー本体２１の上面ややや右方向部位には複数枚の原稿を一括保持し得る原稿台２２が設けられる。
【００２９】
装置の一端側には、被読取媒体である原稿を順次一枚ずつ取出して原稿台５の一端側（図中左端側）に供給する給送手段２３が設けられる。この給送手段２３は、原稿を取り出すためのピックアップローラ２７、原稿をピックアップローラに押し付けるウェイト板２８、原稿給紙台２２への原稿のセット状態を感知する原稿感知センサとしてのエンプティセンサ２９等を備える。ピックアップローラ２７の原稿取り出し方向には給紙ローラ３２が配置され、原稿が確実に一枚ずつ給送される。
【００３０】
原稿台５の上面にはこれを覆う原稿搬送ベルト３７が張設される。この原稿搬送ベルト３７は一対のベルトローラ４０、４０に掛け渡された外表面が白色の幅広無端ベルトからなり、ベルト駆動機構（図示しない）によって正逆方向に走行し得る構成となっている。また、原稿搬送ベルト３７の内周部の裏面側にはベルト面を原稿台５に押え付けるための複数のベルト押えローラ４１および自動原稿送り装置の開閉状態を検知するセットスイッチ（図示せず）が設けられる。そして、上記給送手段２３によって給送された原稿を原稿台５の一端側（左端側）から他端側（右端側）に搬送する。
【００３１】
装置の右側部位に排紙手段３８が設けられる。この排紙手段３８は、搬送ローラ４４とこの搬送ローラ４４に原稿を押し付けるピンチローラ４５と排紙方向に送られる原稿の後端を検出する原稿検出手段としての排紙センサ４６等を備える。原稿排出路の下流が側には排紙ローラ４８が設けられる。また、原稿排出路には原稿を裏表逆にして原稿台５に導くためにゲート８２が設けられ、原稿を両面複写可能としている。
【００３２】
スキャナ２は、光源としての証明ランプ６、ミラー１５を設置した第一キャリッジ７、光路を折り曲げるミラー８ａ、８ｂを設置した第二キャリッジ９、レンズ１０、反射光を受講するＣＣＤセンサ１１、これらの各部の位置を変更する駆動系（図示しない）、およびＣＣＤセンサ１１の出力つまり画像データをアナログデータからディジタルデータへ変換するＡ／Ｄ変換部（図示せず）により構成される。
【００３３】
第一、第二キャリッジ７、９は互いにタイミングベルト（図示しない）で結ばれており、第二キャリッジ９は第一キャリッジ７の１／２の速さで同じ方向に移動する。これにより、レンズ１０までの光路長が一定になるように走査がなされる。レンズ１０は焦点距離固定で変倍時に光軸方向へ移動される。
【００３４】
ＣＣＤ１１センサは、原稿の１画素がＣＣＤセンサの１画像に対応している。このＣＣＤセンサ１１の出力はＡ／Ｄ変換部へ出力される。
第一、第二キャリッジ７、９、ミラー１２ａ、１２ｂの移動はそれぞれステッピングモータ（図示しない）により行なわれる。第一、第二キャリッジ７、９は上記ステッピングモータの回転軸に連結されたドライブプリー（図示しない）とアイドルプリー（図示しない）の間に掛け渡されたタイミングベルト（図示しない）の動作に応じて移動する。上記レンズ１０は、対応するステッピングモータ（図示しない）によりスパイラルシャフト（図示しない）が回転し、このスパイラルの動きによって光軸方向へ移動する。
【００３５】
６０はレーザーダイオードで、これに対応してコリメートレンズ６２、ポリンゴンミラー（多面反射鏡）６４、レンズ６６、反射鏡６８、７０、レンズ７２が配置され、露光装置５２からレーザー光を感光体ドラム５０に照射する。
【００３６】
プリンタ３は、たとえばレーザー光学系と転写紙に画像形成が可能な電子写真方式を組合せている。すなわち、プリンタ３は装置内のほぼ中央部に回転自在に軸支された感光体ドラム５０を有し、この感光体ドラム５０の周囲には露光装置５２、現像装置５４、転写チャージャ５５、剥離チャージャ５６、ＰＣＣチャージャ５７、除電ランプ５８および帯電チャージャ５９が順に配置される。
【００３７】
感光体ドラム５０は、帯電チャージャ５９によって一様に帯電される。スキャナ２からレーザー光を出力することにより、感光体ドラム５０上に原稿の画像を形成するようになっている。
【００３８】
感光体ドラム５０上に形成された静電潜像は現像装置５４により現像され、後述する給紙手段としての給紙カセット３０から給紙ローラ２０、アライニングローラ２５を介して送紙されるコピー用紙Ｐ上に現像画像を転写チャージャ５５によって転写される。この転写チャージャ５５による転写後のコピー用紙ＰはＡＣコロナ放電による剥離チャージャ５６により剥離されて、搬送ベルトを介して定着器７１に搬送され、この定着器７１によって現像画像が溶融定着されたコピー用紙Ｐは排紙ローラ対７３により排紙トレイ７４ａを有するユニット７４に排出される。ユニット７４は排紙ローラ７３から排紙されるコピー用紙Ｐをフェイスダウンするローラ対７４ｂを有し、さらにユニット７４の上部にステープルソートモードの際に１部毎にステープルするステープラ７４ｃを有する。
【００３９】
一方、コピー用紙Ｐへの現像画像の転写・剥離後の感光体ドラム５０上に残留した現像剤はＰＣＣチャージャ５７により清掃され、除電チャージャ５８により感光体ドラム５０乗の電位を一定のレベル以下にして、次のコピーを動作を可能にしている。
【００４０】
なお、コピー用紙Ｐの両面に印刷する両面コピーの場合には、定着器７１によって現像画像が溶融定着されたコピー用紙Ｐが搬送路７５ａを介して搬送された後にトレイ７５ｂに蓄積される。トレイ７５ｂに蓄積された片面印刷済みのコピー用紙Ｐは、搬送路７５ｃを介して前述した転写チャージャ５５に搬送され、印刷されていない他方の面に現像画像が転写される。また、トレイ７５ｂの下部には光反射型の紙センサ７５ｄが設けられ、トレイ７５ｂ上にスタックされる用紙の有無が検知される。
【００４１】
また、搬送路７５ａ、トレイ７５ｂ、搬送路７５ｃ、および紙センサ７５ｄにより、自動両面反転機構としての自動両面装置（ＡＤＤ）７５が構成される。
図中３０は装置本体１のフロント側より脱着自在に上下複数段に装着された給紙手段であるところの給紙カセットである。この給紙カセット３０はコピー用紙Ｐが収納された筐体であるカセットケース３１からなり、カセットケース３１の取り出し端部は用紙取り出し方向に向け傾斜させてなる構成を有する。カセットケース３１に収納されたコピー用紙Ｐは、ピックアップローラ８１にて最上層からピックアップされ、取り出される。
【００４２】
ピックアップローラ８１により取り出されてカセットケース３１の取り出し端部側に送り込まれたコピー用紙Ｐは、カセットケース３１の取り出し端部の内側上方に設置された給紙ローラ８４と分離ローラ（また分離パッド）８５からなる用紙分離部にて一枚ずつ分離され、プリンタ３に向け搬送される。
【００４３】
図２は制御系の構成で、スキャナ、プリンタ、ファックス、ネットワーク等の各種機能を搭載している。
図２において、装置全体の制御を司るＣＰＵ１００に、制御バスＢ１を介して、ＲＯＭ１０１、ＲＡＭ１０２、コントロールパネル１０３、スキャナ部１０４、プリンタ部１０５、メカ部制御ＣＰＵ１０６、画像処理部１０７、バスコントローラ１０８、利用者の生体的特徴を検出する検出手段として指認証部１２０が接続される。
【００４４】
バスコントローラ１０８に、制御バスＢ２を介して、ハードディスクドライブ１１０、ファクシミリ送受信部１１１、ページメモリ１１２、ネットワークインターフェイス１１４が接続される。ＣＰＵ１００は、バスコントローラ１０８と制御バスＢ２を介して、ハードディスクドライブ１１０、ファクシミリ送受信部１１１、ページメモリ１１２、ネットワークインターフェイス１１４を制御することになる。
【００４５】
プリンタ部１０５および画像処理部１０７からファクシミリ送受信部１１１およびページメモリ１１２にかけて、画像データの受け渡しを行なうための画像バスＢ３が接続される。なお、制御バスＢ２でも、画像データの受け渡しが可能となっている。
【００４６】
（１）スキャナ部１０４、画像処理部１０７の説明
スキャナ部１０４および画像処理部１０７の詳細を図３に示す。
スキャナ部１０４はスキャナＣＰＵ１０４ａを備える。このスキャナＣＰＵ  １０４ａに、照明ランプ１０４ｂを制御するランプ制御部１０４ｃ、走査モータ１０４ｄを制御するモータドライバ１０４ｅ、センサ、スイッチ、ソレノイド等１０４ｆを駆動制御する駆動部１０４ｇが接続される。
【００４７】
画像処理部１０７は、ＣＣＤセンサ１１からの画像データを処理するＡ／Ｄ変換回路１０７ａ、解像度変換回路１０７ｂ、シェーディング補正回路１０７ｃ、画質改善回路１０７ｄ、２値化回路１０７ｅを備える。２値化回路１０７ｅの出力は、画像バスＢ３を介して上記ページメモリ１１２に送られ、そこに記憶される。
【００４８】
（２）プリンタ部１０５の説明
プリンタ部１０５の詳細を図４に示す。
プリンタ部１０５はプリンタＣＰＵ５ａを備える。このプリンタＣＰＵ５ａに、メインモータ１０５ｂを駆動するメインモータドライバ１０５ｃ、センサ、スイッチ、ソレノイド等１０５ｄを駆動制御する駆動部１０５ｅ、定着ランプ１０５ｆを制御する定着ランプ制御部１０５ｇ、帯電チャージャ１０５ｈ，転写チャージャ１０５ｉ，剥離チャージャ１０５ｊ，ＰＰＣチャージャ１０５ｋをそれぞれ高圧トランスを介して制御する高圧出力制御部１０５ｍ、除電ランプ１０５ｎを制御する除電ランプ制御部１０５ｏ、給紙ローラ１０５ｐ用およびピックアップローラ１０５ｑ用の給紙モータ１０５ｒを制御する給紙制御部１０５ｓ、電光変換部（レーザダイオード）１０５ｔ用およびポリゴンモータ１０５ｕ用のレーザ駆動回路１０５ｖを駆動する変調回路１０５ｗが接続される。
【００４９】
ページメモリ１１２から画像バスＢ３を介して送られてくる画像データは、プリンタＣＰＵ１０５ａの制御の下、コピー用紙Ｐに印刷される。
（３）ファクシミリ送受信部１１１の説明
ファクシミリ送受信部１１１の詳細を図５に示す。
【００５０】
ファクシミリ送受信部１１１はファクシミリＣＰＵ１１１ａを備える。このファクシミリＣＰＵ１１１ａに、バスＢ４を介して、制御バスインタフェイスと画像バスインタフェイスからなるインタフェイス制御回路１１１ｂ、制御プログラムが格納されているメモリ（ＥＰＲＯＭ）１１１ｃ、画像データを格納するメモリ（ＳＲＡＭ）１１１ｄ、入出力の際に画像データを圧縮・伸張するＣＯＤＥＣ１１１ｅ、画像データを送受信する際の圧縮・伸張のためのＣＯＤＥＣ１１１ｆ、通信回線に接続されて例えば公衆回線網を制御するＮＣＵ（Network Control Unit) １１１ｇ、このＮＣＵ１１１ｇを介してデータの送受信を行なうためのモデム１１１ｈが接続される。
【００５１】
このような構成のファクシミリ送受信部１１１では、ページメモリ１１２および画像バスＢ３を介して送られてくる画像データに対し、圧縮等の処理を施してそれを通信回線に出力するとともに、通信回線から受信した画像データに伸長等の処理を施し、それを画像バスＢ３を介してページメモリ１１２に送信する。
【００５２】
（４）ページメモリ１１２の説明
ページメモリ１１２の詳細を図６に示す。
ぺージメモリ１１２はページメモリコントローラ１１２ａを備える。このページメモリコントローラ１１２ａに、回転処理用のＳＲＡＭ１１２ｂ、画像データ蓄積用のＤＲＡＭ１１２ｃ、圧縮・伸長用のＣＯＤＥＣ１１２ｄが接続される。また、ページメモリコントローラ１１２は、制御バスＢ２および画像バスＢ３に接続されていて、制御バスＢ２と画像バスＢ３を介した当該ページメモリ１１２へのアクセスの調停作業も行なう。
【００５３】
ページメモリ１１２上の画像データに対する圧縮・伸長・回転・合成といった画像処理は、ＣＰＵ１００がバスコントローラ１０８および制御バスＢ２を介してページメモリコントローラ１１２ａを制御することにより達成される。
【００５４】
また、ページメモリ１１２上の画像データへのアクセスは制御バスＢ２および画像バスＢ３のどちらからも可能で、アクセスの調停作業はページメモリコントローラ１１２ａが行なう。
【００５５】
（５）指認証部１２０の説明
指認証部１２０は、図７に示すように、指認証制御部１２１、パターン入力部１２２、書込読出部１２３、および登録部１２４を備える。
【００５６】
パターン入力部１２２は、利用者の生体的特徴としてたとえば手指のパターンを入力するためのもので、図８に示すように、上記コントロールパネル１０３における第１操作手段であるコピースタートキー９１に設けられた線状電極アレイ９２と、その線状電極アレイ９２を構成要素とする図９の入力回路からなる。
【００５７】
なお、コントロールパネル１０３には、コピースタートキー９１の近傍に第２操作手段であるリコピーキー９３およびオールクリアキー９４が配設される。また、図８はコントロールパネル１０３の要部を示しており、実際には編集機能のための各種設定用キーや表示部などが設けられている。
【００５８】
生体的特徴たとえば手指のパターンを用いて個人認証を行なう方式としては、例えば特願昭63-330915 号のように、光学的に指全体の画像を取込み、取込んだ画像の画素値を指の長手方向と直交する方向に加算して得られる信号を用いる方式がある。この方式では光学系が必要なために装置の小型化には限界があった。そこで、例えば特願平5-323481号のように、光学系を用いる代わりに、複数の線状電極を指の長手方向と直交する方向に配列し、指を押しつけたときの隣り合う線状電極間の抵抗値を指の長手方向に順次読み取って合成した信号を用いる方法が提案されている。この方法によれば、光学系が不要となり、装置の小型・低価格化が可能となる。
【００５９】
この方法を採用したのが図９の入力回路である。
まず、線状電極アレイ９２は、複数の線状電極を指の長手方向と直交する方向に 1/10mm 程度の間隔で配列している。配列方向の長さは、指の先端から第二関節を完全に含む長さに相当する。
【００６０】
直流電源９４の電圧を複数のアナログスイッチ９３ａ、複数のアナログスイッチ９３ｂ、および抵抗器９５を介して各線状電極に印加し、線状電極アレイ９２に指を押し付けたときの各線状電極間の抵抗値をアナログスイッチ９３ａ，９３ｂを指の長さ方向に順次にオンすることにより抵抗器９５に生じる電圧として読取るようにしている。そして、抵抗器９５に生じる電圧をサンプルホールド回路９６によってサンプリングしてホールドしつつＡ／Ｄ変換器９７によってデジタル信号に変換するようにしている。タイミングパルス発生器９８は、アナログスイッチ９３ａ，９３ｂのオン，オフおよびサンプルホールド回路９６のサンプルタイミングを制御する。
【００６１】
タイミングパルス発生器９８の制御信号は、図１０に示す矩形波信号であり、立下がりがアナログスイッチ９３ａ，９３ｂのオン，オフ切換に対応し、立上がりがサンプルホールド回路９６のサンプリングに対応する。
【００６２】
ｎ個の線状電極に指を押し付けたとき、ｉ番目の線状電極とそれに隣り合う線状電極との間の抵抗値がＲ（ｉ）であるとすると、その隣り合う２つの線状電極間に生じる電圧（電位差）はＶ（ｉ）は次式で表わされる。Ｖｏは直流電源９４の電圧、Ｒｒｅｆは抵抗器９５の抵抗値である。
Ｖ（ｉ）＝Ｒｒｅｆ・Ｖｏ／（Ｒｒｅｆ＋Ｒ（ｉ））
この電圧Ｖ（ｉ）を指の長手方向に沿って示したのが図１１である。指と線状電極との接触面積が広い部分において電圧Ｖ（ｉ）は大きな値を持ち、第１関節、第２関節部分にある横皺において接触面積が狭くなるために電圧Ｖ（ｉ）は小さな値を持ちその部分で急峻なディップを持つ。以下、電圧Ｖ（ｉ）のことを投影信号と呼ぶ。
【００６３】
上記指認証制御部１２１は、パターン入力部１２２で得られる投影信号Ｖ（ｉ）の登録や照合などの認証処理を書込読出部１２３を介して登録部１２４との間で行なう。書込読出部１２３は、投影信号Ｖ（ｉ）を登録部１２４に書込んだり、登録部１２４から投影信号Ｖ（ｉ）を読出すなどの処理を行なう。
【００６４】
登録部１２４は、図１２に示すように、制御部としての制御素子（例えばＣＰＵ）１２５、記憶内容が消去可能な不揮発性のデータメモリ１２６、ワーキングメモリ１２７、プログラムメモリ１２８、および読取書込装置１３９との電気的接触を行なうためのコンタクト部１２９により構成される。このうち、二点鎖線で囲んだ制御素子１２５、データメモリ１２６、ワーキングメモリ１２７、プログラムメモリ１２８は、１つ（または複数）のＩＣチップで構成される。
【００６５】
データメモリ１２６は、各種データの記憶に使用され、例えばＥＥＰＲＯＭ等で構成される。プログラムメモリ１２８は、例えばマスクＲＯＭで構成され、制御素子１１１のプログラムなどを記憶している。
【００６６】
また、データメモリ１２６は、図１３に示すように、制御領域１２６ａ、ディレクトリ１２６ｂ、空き領域１２６ｃ、および複数のエリアからなるエリア群１２６ｄに分割されている。エリア群１２６ｄの各エリアは、ディレクトリ１２６ｂにて管理される。
【００６７】
ディレクトリ１２６ｂは、図１４に示すように、各エリアのエリア番号、先頭アドレス、サイズ、チェックコードからなるエリア定義情報の集合体として構成される。例えば、エリア［01］は、先頭アドレスがａａａ番地、サイズがＳａバイトである。そして、各エリアに対してのアクセスコマンドとして、書込コマンドがある。この書込コマンドは、図１５に示すように、書込コマンドであることを表わす機能コード、アクセス対象となるエリアを指定するためのエリア番号、および書込データにより構成される。
【００６８】
このような登録部１２４の動作概念を図１６に示している。すなわち、登録部１２４は、電気的活性化後に、コマンド待ち状態に移る（ステップ131 ）。この時点で書込コマンドを待ち続け、入力されると（ステップ131 のYES ）、書込コマンド内にあるエリア番号を抽出し、ディレクトリ１２６ｂ内に該当するエリア番号が存在するか否かをチェックする（ステップ132 ）。もし存在しなければ（ステップ132 のNO）、該当エリア無しを示すコードを出力し、書込コマンド待ち状態に戻る。
【００６９】
もし存在すれば（ステップ132 のYES ）、この後入力した書込コマンド中の機能コードに該当する各コマンドルーチンにて処理を行い、この処理結果を出力後、書込コマンド待ち状態に戻る。
【００７０】
次に、指認証制御部１２１の処理の流れについて説明する。処理には大きく分けて「登録」と「照合」の２つがある。まず、登録について述べる。
＜登録＞
登録の処理の流れを図１７に示す。まず、投影信号Ｖ（ｉ）を取込み（ステップ201 ）、それを辞書信号Ｖｄ（ｉ）として登録部１２４に登録する（ステップ202 ）。以上で登録の処理は終了である。
【００７１】
＜照合＞
照合の処理の流れを図１８に示す。まず、投影信号Ｖ（ｉ）を取込（ステップ211 ）、それと登録部１２４内の辞書信号Ｖｄ（ｉ）との照合計算を行なう（ステップ212 ）。照合は次の手順で相違度Ｅを計算することにより実現する。
【００７２】
登録部１２４内の辞書信号Ｖｄ（ｉ）と投影信号Ｖ（ｉ）の位置合せを行なう。Ｖｄ（ｉ）とｍだけずらしたＶ（ｉ＋ｍ）との２乗誤差をある範囲にわたって和算したものをＳ（ｍ）とする。
【００７３】
ｍ≧０のとき
0003819578.tif 000002
ｍ＜０のとき
0003819578.tif 000003
ＮはＶ（ｉ）の要素の数
Ｓ（ｍ）はＶ（ｉ＋ｍ）とＶｋ（ｉ）との一致度を表わすパラメータであり、Ｓ（ｍ）の値が小さいほど一致していることを示す。位置合わせはｍをある範囲で変化させ、最もＳ（ｍ）の値が小さくなるときのＭを位置ずれ量と呼び、このＭのところで位置合わせができたとする。
【００７４】
次に、下式を用いて相違度Ｅを計算する。
Ｍ≧０のとき
0003819578.tif 000004
Ｍ＜０のとき
0003819578.tif 000005
ＮはＶ（ｉ）の要素の数
Ｅは、位置合わせされた入力信号Ｖ（ｉ＋Ｍ）と辞書信号Ｖｄ（ｉ）の相違度を表したもので、入力信号Ｖ（ｉ＋Ｍ）と辞書信号Ｖｄ（ｉ）の２乗誤差をある範囲にわたって和算したものを同じ範囲の辞書信号Ｖｄ（ｉ）の２乗和で正規化したものである。Ｅの値が大きいほど両信号の違いが大きく、Ｅの値が小さいほど両信号が似ていることを示す。
【００７５】
このＥと予め定めておいた閾値ＴＨと比較し（ステップ213 ）、Ｅ≦ＴＨならば（ステップ213 のYES ）、本人と判断して処理を終了する（ステップ214 ）。それ以外の場合は（ステップ213 のNO）、他人と判断して処理を終了する（ステップ215 ）。以上の照合結果は、電子複写機１００に供給される。
【００７６】
線状電極アレイ９２の検出結果を登録するか、同検出結果を照合に使用するかは、ＣＰＵ１００からの指示に応じて決定される。
線状電極アレイ９２をコピースタートキー９１に設けていることにより、利用者によるコピースタートキー９１の押下動作がそのまま指情報の登録および照合に利用されることになる。
【００７７】
一方、ＣＰＵ１００は、主要な機能手段として次の［１］〜［６］を備えている。
［１］利用者のコピー操作時（記録操作時）、スキャナ２の読取画像と指認証部１２０で検出される指情報（生体的特徴）に対応する指情報ＩＤとを対応付けて、それをページメモリ１１２（またはハードディスク１１０）に記憶する記憶手段。コピー操作は、コピースタートキー９１の押下操作に相当する。
【００７８】
［２］利用者の再コピー操作（再記録操作）に応じて、指認証部１２０で検出される指情報に対応する指情報ＩＤとページメモリ１１２（またはハードディスク１１０）内の指情報ＩＤとを照合する照合手段。再コピー操作は、リコピーキー９３の押下操作およびそれに続くコピースタートキー９１の押下操作の２つの操作に相当する。
【００７９】
［３］利用者の再コピー操作時、上記照合手段の照合結果が合致であることを条件に、その合致した指情報ＩＤに対応する読取画像をページメモリ１１２（またはハードディスク１１０）から検索して読出し、それをプリンタ部１０５でコピー用紙Ｐに記録せしめる制御手段。
【００８０】
［４］上記制御手段による読取画像の記録出力に際し、利用者の適宜な操作に応じて、２イン１コピー、両面コピー、ステープル等、読取画像の編集処理を行なう編集処理手段。
【００８１】
［５］オールクリアキー９４の押下操作に応じて、ページメモリ１１２（またはハードディスク１１０）内の最新の読取画像および指情報ＩＤを消去する制御手段。
【００８２】
［６］利用者のコピー操作後の時間経過を内部タイマによって計時する計時手段。
［７］計時手段の計時が所定時間に達したとき、ページメモリ１１２（またはハードディスク１１０）内の読取画像および指情報ＩＤを消去する制御手段。
【００８３】
つぎに、上記のように構成された電子複写機１の作用を説明する。
（ａ）まず、図１９のフローチャートを用いて、コピースタートキー９１を押下した利用者の生体的特徴を指認証部１２０で登録する動作を説明する。
【００８４】
ＣＰＵ１００から指認証部１２０にユーザー登録待ちのコマンドが発行される（ステップ221 ）。指認証部１２０ではこのコマンドを受け取ると指認証制御部１２１がそのコマンドを解釈して、登録待ち状態になる（ステップ222 ）。
【００８５】
利用者は、コピーを開始するためにコピースタートキー９１を押下する（ステップ223 ）。このとき、利用者の指が線状電極アレイ９２に触れており、その線状電極アレイ９２を介して利用者の指情報が検出される（ステップ224 ）。検出された指情報は登録部１２４内の登録済みのものと照合される（ステップ225 ）。
【００８６】
検出された指情報と同じものがすでに登録されていれば（ステップ225 の合致）、先に登録されている指情報の識別子である指情報ＩＤが指認証部１２０からＣＰＵ１００へステータスとして返される（ステップ226 ）。
【００８７】
検出された指情報がまだ未登録であれば（ステップ225 の不合致）、その検出された新たな指情報が登録部１２４に登録される（ステップ227 ）。そして、登録された指情報と一対一に対応する指情報ＩＤが指認証部１２０で生成され（ステップ228 ）、その生成された指情報ＩＤが指認証部１２０に保存されるととともにＣＰＵ１００へステータスとして返される（ステップ229 ）。
【００８８】
（ｂ）次に、図２０のフローチャートを用いて、コピースタートキー９１を押下した利用者を指認証部１２０で照合する動作を説明する。
ＣＰＵ１００から指認証部１２０にユーザー照合待ちのコマンドが発行されるステップ231 ）。指認証部１２０ではこのコマンドを受け取ると指認証制御部  １２１がそのコマンドを解釈して、照合待ち状態になる（ステップ232 ）。
【００８９】
利用者は、コピーを開始するためにコピースタートキー９１を押下する（ステップ233 ）。このとき、利用者の指が線状電極アレイ９２に触れており、その線状電極アレイ９２を介して利用者の指情報が検出される（ステップ234 ）。検出された指情報は登録部１２４内の登録済みのものと照合される（ステップ235 ）。
【００９０】
検出された指情報と同じものがすでに登録されていれば（ステップ235 の合致）、先に登録されている指情報の識別子である指情報ＩＤが指認証部１２０からＣＰＵ１００へステータスとして返される（ステップ236 ）。これにより、ＣＰＵ１００は、コピースタートキー９１を押下した利用者が以前にもコピースタートキー９１を押下した人物と同じであることを認識することができる。
【００９１】
検出された指情報がまだ未登録であれば（ステップ235 の不合致）、未知の利用者であることを表わすＩＤが指認証部１２０からＣＰＵ１００へ送られる（ステップ237 ）。これにより、ＣＰＵ１００は、コピースタートキー９１を押下した利用者が未知の人物であることを認識することができる。
【００９２】
（ｃ）図２１のフローチャートを用いて、指認証部１２０の登録部１２４に登録されている指情報をＣＰＵ１００からの指示で削除する動作を説明する。
ＣＰＵ１００は、指情報削除コマンド、および削除したい指情報に対応する指情報ＩＤを指認証部１２０に送る（ステップ241 、242 ）。指認証部１２０ではこのコマンドを解釈し、指情報ＩＤに対応した指情報を登録部１２４から削除する（ステップ243 ）。
【００９３】
（ｄ）図２２および図２３のフローチャートを用いて、電子複写機１の全体的な動作を説明する。
通常、電子複写機１は図１９のフローチャートに従って利用者の登録待ち状態にある（ステップ251 ）。
【００９４】
利用者は、自動原稿送り装置４もしくは原稿台５に複写したい原稿（被読取媒体）をセットし、通常の複写手順に従ってコピースタートキー９１を押すことによりコピージョブ（画像の読取り、記録を含む）を発生させる（ステップ252 ）。
【００９５】
このとき、現在のコピージョブを発生させた利用者の指情報がコピースタートキー９１上の線状電極９２により検出され、その検出された指情報が指認証部  １２０の登録部１０４に登録されるとともに、検出された指情報に対応する指情報ＩＤが指認証部１２０からＣＰＵ１００へステータスとして送られる（ステップ253 ）。
【００９６】
ＣＰＵ１００は、発生したコピージョブの読取画像と指認証部１２０から送られてくる指情報ＩＤとを対応付けてページメモリ１１２に記憶する。これにより、電子複写機１で処理されるコピージョブとそれを発生させた利用者との間に一対一の対応関係が生じ、コピージョブが一旦終了した後も、その対応関係が電子複写機１内に蓄積される（ステップ254 ）。
【００９７】
利用者が会議の資料を用意するためにコピージョブを行ない、その後で参加人数の変更などで記録物の必要部数が増えたような場合、利用者はリコピーキー  ９３を押下すればよい。
【００９８】
リコピーキー９３が押下されると（ステップ255 のYES ）、コピージョブ再起動待ち状態となり、ＣＰＵ１００は図２０のフローチャートに従ってユーザー照合待ちコマンドを発行する。これにより、指認証部１２０がユーザの照合待ち状態となる（ステップ256 ）。
【００９９】
なお、このコピージョブ再起動待ち状態では、コントロールパネル１０３の適宜な操作より、２イン１、両面、拡大、縮小といった画像編集機能を指定することが可能である（ステップ257 ）。
【０１００】
実際に再コピーを行なう場合、利用者はコピースタートキー９１を押下する（ステップ258 ）。このとき、利用者の指情報がコピースタートキー９１上の線状電極９２により検出され、その検出された指情報と登録部１０４内の登録済みの指情報とが照合される（ステップ259 ）。
【０１０１】
検出された指情報と登録済みの指情報とが合致すると（ステップ259 の合致）、合致した指情報に対応する指情報ＩＤがステータスとしてＣＰＵ１００へ送られ、その指情報ＩＤに対応するコピージョブが再起動される（ステップ260 ）。つまり、指情報ＩＤに対応する読取画像がページメモリ１１２から検索して読出され、それが適宜に指定の画像編集処理を施されて再コピーされる。
【０１０２】
したがって、利用者は原稿の再入力から開放され、複写生産性が向上する。つまり、原稿の再セットを要することなく、必要部数の記録物を何度でも用意かつ迅速に受け取ることができる。
【０１０３】
検出された指情報と登録済みの指情報とが合致しない場合には（ステップ259 の不合致）、未知の利用者であることを表わすＩＤが指認証部１２０からＣＰＵ１００に送られ、これによりコントロールパネル１０３上に登録されたコピージョブが無い旨が表示される（ステップ261 ）。再コピーはなされない。
【０１０４】
したがって、第三者による再コピーについてはその実行を未然に防ぐことができ、安全性および信頼性が確保される。
ところで、リコピーキー９３が押下されないまま（ステップ255 のNO）、原稿がセットされてコピースタートキー９１が押下されると、新たなコピージョブ発生とみなす。
【０１０５】
このとき線状電極９２を介して検出される指情報は登録され、読取画像を含むコピージョブの方はページメモリ１１２に蓄積されて再起動可能なコピージョブとなる。
【０１０６】
ただし、検出された指情報がすでに登録済みのものと同じであれば、指認証部１２０からＣＰＵ１００へ送られる指情報ＩＤに基づいてページメモリ１１２内の古いコピージョブが消去され、新たに発生したコピージョブが再起動対象としてページメモリ１１２に蓄積される。
【０１０７】
すなわち、利用者は自分が発生させたコピージョブのうち、直前に発生させた最新のコピージョブのみ再起動が可能となっている。しかし、これはあくまで指情報ＩＤに基づくものであり、コピージョブを発生させる際に用いる指、すなわちコピースタートキー９１を押下する指を変更すれば、一人の利用者が複数のコピージョブを再起動対象として蓄積することが可能である。
【０１０８】
リコピーキー９３が押下されないまま（ステップ255 のNO）、オールクリアキー９４が押下されると（ステップ262 ）、直前に発生した最新のコピージョブおよびそれに対応する指情報ＩＤがページメモリ１１２から消去される（ステップ263 ）。同時に、対応する指情報が指認証部１２０から消去される。
【０１０９】
また、コピースタートキー９１が押下されて新たなコピージョブが発生するのと同時に時間経過が計時されており、その計時が所定時間に達すると（タイムアウト）、有効期限切れであるとの判断の下に、対応するコピージョブ、指情報ＩＤ、指情報が消去される。
【０１１０】
なお、上記実施例では、利用者の生体的特徴として手指のパターンを検出したが、検出対象としては手指に限らず適宜に選定すればよい。
その他、この発明は上記実施例に限定されるものではなく、要旨を変えない範囲で種々変形実施可能である。
【０１１１】
【発明の効果】
以上述べたようにこの発明によれば、一旦読み取った画像であれば被読取媒体の再セットを要することなく容易かつ迅速な再記録を可能とし、しかも第三者による再記録についてはその実行を未然に防ぐことができる安全性および信頼性にすぐれた画像形成装置を提供できる。
また、同様の効果が得られる画像形成装置の制御方法および電子複写機を提供できる。
【図面の簡単な説明】
【図１】一実施例の内部機構の構成を断面して示す図。
【図２】同実施例の制御系の構成を示すブロック図。
【図３】同実施例のスキャナ部および画像処理部の構成を示すブロック図。
【図４】同実施例のプリンタ部の構成を示すブロック図。
【図５】同実施例のファクシミリ送受信部の構成を示すブロック図。
【図６】同実施例のページメモリの構成を示すブロック図。
【図７】同実施例の指認証部の構成を示すブロック図。
【図８】同実施例のコントロールパネルの要部の構成を示す図。
【図９】同実施例の指認証部における入力回路の構成を示す図。
【図１０】同実施例の指認証部におけるタイミングパルス発生器から発せられる制御信号の波形を示す図。
【図１１】同実施例の指認証部における投影信号の電圧レベルと指の関係を示す図。
【図１２】同実施例の指認証部における登録部の構成を示すブロック図。
【図１３】図１２の登録部におけるデータメモリの構成を示す図。
【図１４】図１３のデータメモリにおけるディレクトリのフォーマットを示す図。
【図１５】図１３のデータメモリに対する書込コマンドのフォーマットを示す図。
【図１６】図１２の登録部の動作概念を示すフローチャート。
【図１７】同実施例の指認証部の登録処理を示すフローチャート。
【図１８】同実施例の指認証部の照合処理を示すフローチャート。
【図１９】同実施例における生体的特徴の登録を説明するためのフローチャート。
【図２０】同実施例における生体的特徴の照合を説明するためのフローチャート。
【図２１】同実施例における指情報の削除を説明するためのフローチャート。
【図２２】同実施例の全体的な作用を説明するためのフローチャート。
【図２３】図２２に続くフローチャート。
【符号の説明】
１…電子複写機（画像形成装置）
５…原稿台
９１…コピースタートキー
９２…線状電極
９３…リコピー
９４…オールクリアキー
１００…ＣＰＵ
１０３…コントロールパネル
１１２…ページメモリ
１２０…指認証部
１２１…指認証制御部
１２２…パターン入力部
１２３…書込読出部
１２４…登録部
【図１】
0003819578.tif 000006
【図２】
0003819578.tif 000007
【図３】
0003819578.tif 000008
【図４】
0003819578.tif 000009
【図５】
0003819578.tif 000010
【図６】
0003819578.tif 000011
【図７】
0003819578.tif 000012
【図８】
0003819578.tif 000013
【図９】
0003819578.tif 000014
【図１０】
0003819578.tif 000015
【図１１】
0003819578.tif 000016
【図１２】
0003819578.tif 000017
【図１３】
0003819578.tif 000018
【図１４】
0003819578.tif 000019
【図１５】
0003819578.tif 000020
【図１６】
0003819578.tif 000021
【図１７】
0003819578.tif 000022
【図１８】
0003819578.tif 000023
【図１９】
0003819578.tif 000024
【図２０】
0003819578.tif 000025
【図２１】
0003819578.tif 000026
【図２２】
0003819578.tif 000027
【図２３】
0003819578.tif 000028